(57)【要約】【課題】増幅器の入出力特性に温度変化や経年劣化による歪が生じたとしても、増幅器の入出力特性に現れる歪を抑制することができる増幅装置を提供する。【解決手段】本発明の増幅装置１は、増幅器４の入力信号及び出力信号に基づいて、増幅器４の入出力特性に現れる歪についての歪補償を行うものであり、前記入力信号及び前記出力信号を取得し、前記増幅器の歪補償を行う歪補償部２３と、前記増幅器４の歪についての歪レベルを検出するＡＣＬＲ計算部２５と、歪レベルに応じて前記入力信号の電力を調整する調整部２６とを備えている。【選択図】図２
2011082953.tif 000002
【特許請求の範囲】
【請求項１】
入力信号の電力を増幅する増幅器と、
前記増幅器の入出力特性に現れる歪についての歪レベルを検出する歪レベル検出部と、
前記歪レベルに応じて前記入力信号の電力を調整する調整部と、を備えていることを特徴とする増幅装置。
【請求項２】
前記調整部は、前記歪レベル検出部が検出した歪レベルが、当該歪レベルとして許容可能な上限値として予め定められた第一の閾値より大きいか否かを判定し、前記歪レベルが前記第一の閾値よりも大きいと判定する場合には、前記入力信号の電力を下げるように調整する請求項１に記載の増幅装置。
【請求項３】
前記調整部は、前記歪レベルが前記第一の閾値よりも小さい値に設定された第二の閾値より小さいか否かを判定し、前記歪レベルが前記第二の閾値よりも小さいと判定する場合には、前記入力信号の電力を上げるように調整する請求項２に記載の増幅装置。
【請求項４】
前記調整部が前記入力信号の電力を上げる際の変位量は、前記入力信号の電力を下げる際の変位量よりも小さく設定されている請求項３に記載の増幅装置。
【請求項５】
前記調整部は、前記入力信号の電力を調整した後、所定期間経過するまで、再度前記入力信号の電力を調整するのを待機する請求項１〜４のいずれか一項に記載の増幅装置。
【請求項６】
前記調整部は、前記入力信号の電力に応じて、当該入力信号の電力調整に係る変位量を調整する請求項１〜５のいずれか一項に記載の増幅装置。
【請求項７】
前記調整部は、前記入力信号の最大電力値に応じた調整を行う請求項６に記載の増幅装置。
【請求項８】
前記調整部は、前記歪レベルに応じて、前記入力信号の電力調整に係る変位量を調整する請求項１〜７のいずれか一項に記載の増幅装置。
【請求項９】
前記歪レベル検出部は、前記増幅器の出力信号を取得し、当該出力信号として使用可能な使用可能周波数帯域の電力に対する、前記使用可能周波数帯域に隣接する隣接周波数帯域の電力の漏洩電力比を求め、この漏洩電力比を歪レベルとして出力する請求項１〜８のいずれか一項に記載の増幅装置。
【請求項１０】
前記入力信号及び当該入力信号に対応して前記増幅器が出力する出力信号を用いて前記増幅器の入出力特性を表すモデルを推定し、このモデルを用いて前記増幅器の歪補償を行う歪補償部をさらに備え、
前記歪レベル検出部は、前記歪補償部が推定する前記モデルと、前記入力信号及び前記出力信号から表される前記増幅器の入出力特性との間の差をモデル化誤差量として求め、このモデル化誤差量を歪レベルとして出力する請求項１〜８のいずれか一項に記載の増幅装置。
【請求項１１】
前記調整部は、前記歪補償部が取得する前記出力信号の電力を調整することで、前記入力信号の電力を間接的に調整する請求項１０に記載の増幅装置。
【請求項１２】
前記調整部は、前記入力信号の電力を直接的に調整する請求項１〜１０のいずれか一項に記載の増幅装置。
【請求項１３】
入力信号の電力を増幅する増幅器と、
前記増幅器に電源電圧を付与する電源部と、
前記増幅器の入出力特性に現れる歪についての歪レベルを検出する歪レベル検出部と、
前記歪レベルに応じて前記電源電圧を調整する電源電圧調整部と、を備えていることを特徴とする増幅装置。
【請求項１４】
前記電源電圧調整部により前記電源電圧が調整されたときの歪レベルが所定の第三の閾値より大きい場合、前記電源電圧が調整されたときの歪レベルに応じて前記入力信号の電力を調整する信号電力調整部をさらに備えている請求項１３に記載の増幅装置。
【請求項１５】
増幅装置を備えた無線送信装置であって、
前記増幅装置は、請求項１又は１３に記載の増幅装置であることを特徴とする無線送信装置。
【発明の詳細な説明】
【技術分野】
【０００１】
本発明は、例えば無線送受信機に用いられる増幅装置、及びこれを用いた無線送信装置に関する。
【背景技術】
【０００２】
一般的に、効率性の高い高出力増幅器（ＨＰＡ: High Power Amplifier、以下、単に増幅器ともいう）は、入出力特性の線形性が低い。従って、このような増幅器を用いて電力を増幅すると、入出力特性の歪により、所望の出力が得られない場合がある。そこで、このような増幅器の歪を補償するために、当該増幅器の入力信号に対して、増幅器の歪特性とは逆の、逆歪特性をデジタル信号処理により生成して増幅器の入力に付加する歪補償処理を施すことで、所望の増幅器出力を得る歪補償回路が提案されている（例えば、非特許文献１参照。）。
【先行技術文献】
【非特許文献】
【０００３】
【非特許文献１】Thesis by Lei Ding, “Digital predistortion of power amplifiers for wireless application”, Georgia institute of Technology, March 2004
【発明の概要】
【発明が解決しようとする課題】
【０００４】
上記入出力特性の歪は、増幅器自身の特性に起因する歪の他、増幅器の温度変化や経年劣化に起因して生じることがある。このような温度変化や経年劣化による入出力特性の歪は、飽和領域の低下や、入出力特性における高次の歪の増加等として現れ、その歪レベルは、増幅器自身の特性等に起因する歪と比較して大きく現れる。このような大きな歪が生じると、入力電力に対する出力信号の電力の変動が大きくなり、上記歪補償回路によっても歪補償することが困難になることがある。このため、増幅器の入出力特性に現れる歪を効果的に抑制する方策が望まれていた。
【０００５】
本発明はこのような事情に鑑みてなされたものであり、増幅器の入出力特性に温度変化や経年劣化による大きな歪が生じたとしても、増幅器の入出力特性に現れる歪を抑制することができる増幅装置、及びこれを用いた無線送信装置を提供することを目的とする。
【課題を解決するための手段】
【０００６】
（１）本発明の増幅装置は、入力信号の電力を増幅する増幅器と、前記増幅器の入出力特性に現れる歪についての歪レベルを検出する歪レベル検出部と、前記歪レベルに応じて前記入力信号の電力を調整する調整部と、を備えていることを特徴としている。
【０００７】
上記構成の増幅装置によれば、歪レベル検出部が検出する歪レベルに応じて増幅器の入力信号の電力を調整する調整部を備えているので、温度変化や経年劣化に起因して増幅器の入出力特性に大きな歪が生じたとしても、その歪レベルに応じて歪が抑制される方向に入力信号の電力を調整することができ、この結果、増幅器の入出力特性に現れる歪を抑制することができる。
従って、例えば、当該増幅装置が、増幅器の歪補償を行う歪補償回路を備えている場合には、温度変化や経年劣化に起因して増幅器の入出力特性に大きな歪が生じたとしても、その歪レベルに応じて歪補償を行うことが可能なレベルにまで入力信号の電力を調整することができ、この結果、歪補償の精度低下を抑制することができる。
なお、ここで、上記増幅器の入出力特性の歪には、高次の歪の他、飽和領域の低下も含まれる。
【０００８】
（２）具体的には、入力信号の電力が比較的高い領域では、飽和領域の変動等によって歪が大きく現れ易い。このため、前記調整部は、前記歪レベル検出部が検出した歪レベルが、当該歪レベルとして許容可能な上限値として予め定められた第一の閾値より大きいか否かを判定し、前記歪レベルが前記第一の閾値よりも大きいと判定する場合には、前記入力信号の電力を下げるように調整するものであることが好ましい。
これにより、歪レベルが第一の閾値よりも大きい場合に、調整部が入力信号の電力を下げるように調整することで、歪が大きく現れ易い領域の使用を回避し、歪レベルを減少させることができる。また、大きな変曲部分等の高次の歪が生じている場合、入力信号の電力を下げ、増幅器における使用レンジを狭めれば、相対的に歪レベルは低下し、高次の歪による影響を抑えることができる。このため、例えば、当該増幅装置が、増幅器の歪補償を行う歪補償回路を備えている場合、増幅器の歪補償精度の低下を抑制できる。この結果、増幅器の入出力特性に現れる歪を効果的に抑制することができる。
【０００９】
（３）一方、歪レベルが許容可能な上限値よりも十分に小さい場合には、より入力信号の電力を上げることが可能な余地を有していると判断できる。
このため、前記調整部は、前記歪レベルが前記第一の閾値よりも小さい値に設定された第二の閾値より小さいか否かを判定し、前記歪レベルが前記第二の閾値よりも小さいと判定する場合には、前記入力信号の電力を上げるように調整するものであってもよい。
この場合、調整部は、入力信号の電力を下げることで歪レベルが減少した後に、歪レベルが十分に小さいと判定すれば、入力信号の電力を上げるように調整するので、例えば、何らかの原因で増幅器の入出力特性における歪レベルが一時的に増加し、再度、歪レベルが減少するように変化した場合においても、入力信号の電力を下げた状態のままで維持してしまうことを防止できる。
【００１０】
（４）また、上記のように、入力信号の電力を下げる場合には、増幅器の入出力特性が悪化する可能性が少ない一方、入力信号の電力を上げる場合には、入力信号のレベルが飽和領域に到達し、増幅器の入出力特性に歪が大きく生じる場合がある。このため、前記調整部が前記入力信号の電力を上げる際の変位量は、前記入力信号の電力を下げる際の変位量よりも小さく設定されていることが好ましい。
これにより、入力信号の電力を上げる場合には、下げる場合よりも小さな変位量で徐々に電力を増加させることで、増幅器の入出力特性に歪が大きく現れるのを抑制することができる。
また、例えば、当該増幅装置が、増幅器の歪補償を行う歪補償回路を備えている場合、入力信号の電力を下げる際には、その直前に歪補償を行った範囲内で調整されるため精度良く歪補償を行うことができる一方、入力信号の電力を上げる場合には、電力を増加させた領域部分が直前に歪補償を行った範囲に含まれていないため、その領域部分については、精度よく歪補償を行うことができない場合がある。
しかし、上記構成により、入力信号の電力を上げる場合には、下げる場合よりも小さな変位量で徐々に電力を増加させることができるので、歪補償の精度を大きく低下させてしまうのを防止できる。
【００１１】
（５）さらに、上記増幅装置において、前記調整部は、前記入力信号の電力を調整した後、所定期間経過するまで、再度前記入力信号の電力を調整するのを待機するものであってもよい。この場合、入力信号の電力の調整を行った後、再度電力の調整を行うタイミングについて時間的な間隔を設けることができる。この結果、入力信号の電力調整に係る処理を行う上で、電力を上げる方向への調整と下げる方向への調整とが交互に頻繁に繰り返されるといったようなハンチングが発生するのを抑制することができる。
【００１２】
（６）（７）また、例えば、入力信号の最大電力値が比較的大きく、増幅器の入出力特性における飽和領域近傍に位置している場合には、当該入力信号の電力を大きく変位させると、歪レベルを大きく変位させてしまうおそれがある。
このため、前記調整部は、前記入力信号の電力に応じて、当該入力信号の電力調整に係る変位量を調整するものであってもよく、より具体的には、前記入力信号の最大電力値に応じた調整を行うものであることが好ましい。これによって、歪レベルが大きく変位させるおそれのある入力信号の最大電力値が比較的大きい場合には、前記入力信号の電力調整に係る変位量を小さく調整することが可能となり、増幅器の入出力特性に歪が大きく現れるのを抑制することができる。
このため、例えば、当該増幅装置が、増幅器の歪補償を行う歪補償回路を備えている場合、入力信号の最大電力値が飽和領域近傍に位置していることから歪レベルを大きく変位させてしまうおそれがあるとしても、入力信号の電力調整に係る変位量を小さく調整することで、歪補償の精度が低下するのを抑えることができる。この結果、増幅器の入出力特性に歪が大きく現れるのを抑制することができる。
【００１３】
（８）また、歪レベルが急激に大きく変化した場合には、速やかに歪レベルを減少させるために、入力信号の電力もそれに応じて大きく変化させる必要が生じる。そこで、前記調整部は、前記歪レベルに応じて、前記入力信号の電力調整に係る変位量を調整するものであってもよく、この場合、歪レベルが急激に大きく変化したとしても、速やかに歪レベルを減少させることができる。
【００１４】
（９）上記増幅装置において、前記歪レベル検出部は、前記増幅器の出力信号を取得し、当該出力信号として使用可能な使用可能周波数帯域の電力に対する、前記使用可能周波数帯域に隣接する隣接周波数帯域の電力の漏洩電力比を求め、この漏洩電力比を歪レベルとして出力するものとすることができる。
この場合、出力信号を使用可能周波数帯域と隣接周波数帯域とに分けて双方の電力を比較すればよいので、簡易な構成で歪レベルを検出することができる。
【００１５】
（１０）また、上記増幅装置において、前記入力信号及び当該入力信号に対応して前記増幅器が出力する出力信号を用いて前記増幅器の入出力特性を表すモデルを推定し、このモデルを用いて前記増幅器の歪補償を行う歪補償部をさらに備え、前記歪レベル検出部は、前記歪補償部が推定する前記モデルと、前記入力信号及び前記出力信号から表される前記増幅器の入出力特性との間の差をモデル化誤差量として求め、このモデル化誤差量を歪レベルとして出力するものとすることもできる。
この場合、推定したモデルと、実際の入出力信号による入出力特性との間の誤差量が把握できるので、調整部はこの誤差量に基づいた入力信号の電力調整を行うことができる。この結果、より精度の高い歪補償を行うことができ、増幅器の入出力特性に現れる歪を効果的に抑制することができる。
【００１６】
（１１）本発明の増幅装置は、増幅器が出力する出力信号をフィードバックした出力モニタ信号として取得して、入力信号を制御（歪補償）するものであるため、前記調整部は、前記歪補償部が取得する前記出力信号（出力モニタ信号）の電力を調整することで、前記入力信号の電力を間接的に調整することが好ましい。
この場合、歪補償部が、調整部によって電力が調整された後の出力信号（出力モニタ信号）を取得して歪補償を行うことによって、入力信号の電力調整が間接的に行われるので、歪補償を行いつつ入力信号の電力調整を行うことができる。このため、増幅器の歪補償精度の低下を抑制しつつ入力信号の電力を調整することができる。
（１２）また、前記調整部は、前記入力信号の電力を直接的に調整するものであってもよく、この場合、電力調整が即座に反映される点で有利である。
【００１７】
（１３）また、本発明の増幅装置は、入力信号の電力を増幅する増幅器と、前記増幅器に電源電圧を付与する電源部と、前記増幅器の入出力特性に現れる歪についての歪レベルを検出する歪レベル検出部と、前記歪レベルに応じて前記電源電圧を調整する電源電圧調整部と、を備えていることを特徴としている。
【００１８】
上記構成の増幅装置によれば、歪レベル検出部が検出する歪レベルに応じて電源電圧を調整する電源電圧調整部を備えているので、温度変化や経年劣化に起因して増幅器の入出力特性に大きな歪が生じたとしても、その歪レベルに応じて歪が抑制される方向に電源電圧を調整することができ、この結果、増幅器の入出力特性に現れる歪を抑制することができる。
【００１９】
（１４）上記増幅装置において、前記電源電圧調整部により前記電源電圧が調整されたときの歪レベルが所定の第三の閾値より大きい場合、前記電源電圧が調整されたときの歪レベルに応じて前記入力信号の電力を調整する信号電力調整部をさらに備えていることが好ましい。
この場合、電源電圧調整部によって電源電圧を調整した結果、所定のレベルにまで歪が抑制できないときには、電源電圧の調整に加えて、信号電力調整部によってさらに歪が抑制される方向に入力信号の電力を調整することができる。
この結果、電源電圧調整部の電源電圧の調整による歪の抑制効果を信号電力調整部の入力信号の電力調整によって補完することができ、より効果的に、増幅器の入出力特性に現れる歪を抑制することができる。
【００２０】
（１５）また、本発明は、増幅装置を備えた無線送信装置であって、前記増幅装置は、上記（１）〜（１４）に記載の増幅装置であることを特徴としている。
上記構成の無線送信装置によれば、上述の増幅装置を備えているので、温度変化や経年劣化に起因して増幅器の入出力特性に大きな歪が生じたとしても、その歪を抑制することができる。
【００２１】
また、上記（１３）に記載の増幅装置では、本発明以外の他の構成として、下記構成が考えられる。
すなわち、入力信号の電力を増幅する増幅器と、前記増幅器に電源電圧を付与する電源部と、前記増幅器の入出力特性に現れる歪についての歪レベルを検出する歪レベル検出部と、前記歪レベルに応じて前記電源電圧を調整する電源電圧調整部と、を備えていることを特徴とする増幅装置において、前記電源電圧調整部は、前記歪レベル検出部が検出した歪レベルが、当該歪レベルとして許容可能な上限値として予め定められた第四の閾値より大きいか否かを判定し、前記歪レベルが前記第四の閾値よりも大きいと判定する場合には、前記電源電圧を上げるように調整するものであることが好ましい。
電源電圧を上げるように調整すれば、増幅器の飽和領域を相対的に上昇させることができるため、増幅器の入出力特性の歪が飽和領域の低下として現れている場合には、入力信号の電力の範囲内における歪が抑制される方向に調整される。これによって、増幅器の入出力特性に現れる歪を抑制することができる。
【００２２】
前記電源電圧調整部は、前記歪レベルが前記第四の閾値よりも小さい値に設定された第五の閾値より小さいか否かを判定し、前記歪レベルが前記第五の閾値よりも小さいと判定する場合には、前記電源電圧を下げるように調整するものであってもよい。
この場合、電源電圧調整部は、電源電圧を上げることで歪レベルが減少した後に、歪レベルが十分に小さいと判定すれば、電源電圧を下げるように調整するので、例えば、何らかの原因で増幅器の入出力特性における歪レベルが一時的に増加し、再度、歪レベルが減少するように変化した場合においても、電源電圧を上げた状態のままで維持してしまうことを防止できる。
【００２３】
前記電源電圧調整部が前記電源電圧の電力を下げる際の変位量は、前記電源電圧を上げる際の変位量よりも小さく設定されていることが好ましい。
この場合、電源電圧を下げる場合には、上げる場合よりも小さな変位量で徐々に電源電圧を小さくさせることができるので、調整によって、増幅器の入出力特性に大きな歪を生じさせてしまうのを抑制することができる。
【００２４】
前記電源電圧調整部は、前記電源電圧を調整した後、所定期間経過するまで、再度前記電源電圧を調整するのを待機するものであることが好ましい。
この場合、電源電圧の調整を行った後、再度電源電圧の調整を行うタイミングについて時間的な間隔を設けることができる。この結果、電源電圧の調整に係る処理を行う上で、ハンチングが発生するのを抑制することができる。
【００２５】
また、歪レベルが急激に大きく変化した場合には、速やかに歪レベルを減少させるために、電源電圧もそれに応じて大きく変化させる必要が生じる。そこで、前記電源電圧調整部は、前記歪レベルに応じて、電源電圧の調整に係る変位量を調整するように構成することもできる。
この場合、歪レベルが急激に大きく変化したとしても、速やかに歪レベルを減少させることができる。
【００２６】
また、前記歪レベル検出部は、前記増幅器の出力信号を取得し、当該出力信号として使用可能な使用可能周波数帯域の電力に対する、前記使用可能周波数帯域に隣接する隣接周波数帯域の電力の漏洩電力比を求め、この漏洩電力比を歪レベルとして出力するものとすることができる。
この場合、出力信号を使用可能周波数帯域と隣接周波数帯域とに分けて双方の電力を比較すればよいので、簡易な構成で歪レベルを検出することができる。
【００２７】
また、前記入力信号及び当該入力信号に対応して前記増幅器が出力する出力信号を用いて前記増幅器の入出力特性を表すモデルを推定し、このモデルを用いて前記増幅器の歪補償を行う歪補償部をさらに備え、前記歪レベル検出部は、前記歪補償部が推定する前記モデルと、前記入力信号及び前記出力信号から表される前記増幅器の入出力特性との間の差をモデル化誤差量として求め、このモデル化誤差量を歪レベルとして出力するものとすることもできる。
この場合、推定したモデルと、実際の入出力信号による入出力特性との間の誤差量が把握できるので、調整部はこの誤差量に基づいた電源電圧の調整を行うことができる。この結果、より精度の高い歪補償を行うことができ、増幅器の入出力特性に現れる歪を効果的に抑制することができる。
【発明の効果】
【００２８】
以上のように、本発明の増幅装置、及びこれを用いた無線送信装置によれば、増幅器の入出力特性に温度変化や経年劣化による大きな歪が生じたとしても、増幅器の入出力特性に現れる歪を抑制することができる。
【図面の簡単な説明】
【００２９】
【図１】本発明の第一の実施形態に係る基地局装置の無線送信に係る増幅装置部分を示す回路図である。
【図２】デジタル処理部が機能的に有する歪補償回路の機能ブロック図である。
【図３】ＡＣＬＲ計算部が行う出力信号に対する処理の内容を説明するための図である。
【図４】調整部の制御部が行う入力信号の電力調整に関する処理を示すフローチャートである。
【図５】（ａ）は、増幅器の入出力特性について、通常の場合と、大きく歪が現れている場合とを模式的に示した図であり、（ｂ）は、前記入出力特性と対応付けて表した入力信号を示す図である。
【図６】本発明の第二の実施形態に係る歪補償回路の機能ブロック図である。
【図７】両バッファ部に蓄積される入力信号及び出力信号の関係を示したグラフであり、各信号と逆モデルとの関係を説明するための図である。
【図８】本発明の第三の実施形態に係る基地局装置の増幅装置を示すブロック図である。
【図９】制御部によって実現される、入力信号の電力調整と、電源電圧の調整とが併用されたときの処理を示すフローチャートである。
【図１０】電源電圧調整部が行う電源電圧の調整に関する処理を示すフローチャートである。
【図１１】図８で示した増幅装置の他の態様を示したブロック図である。
【発明を実施するための形態】
【００３０】
次に、本発明の好ましい実施形態について添付図面を参照しながら説明する。
図１は、本発明の第一の実施形態に係る基地局装置の無線送信に係る増幅装置部分を示す回路図である。この基地局装置ＢＳは、広帯域移動無線通信システムの送信装置として用いられるものであり、例えば、ＩＥＥＥ８０２．１６に規定されるいわゆる「ＷｉＭＡＸ（Worldwide Interoperability for Microwave Access）」と呼ばれる無線通信システムに準拠して構成されており、送信信号を増幅するため増幅装置１を備えている。
【００３１】
増幅装置１は、前記歪補償回路（ＤＰＤ）２０を機能的に有するデジタル処理部２と、高出力増幅器（ＨＰＡ、以下、単に増幅器ともいう）４を有するアナログ処理部３とを備えている。
デジタル処理部２は、増幅器４に入力される入力信号としての送信信号をデジタル信号としてアナログ処理部３に与えるとともに、増幅器４が出力する出力信号をデジタル信号としてアナログ処理部３から取得する。
アナログ処理部３は、デジタル処理部２と、増幅器４の信号入力端子との間に、デジタル／アナログ変換器（ＤＡＣ）５、ローパスフィルタ（ＬＰＦ）６、及び、第一周波数変換部７が配置接続されている。デジタル処理部２が出力するデジタルの入力信号は、これらを介することで、アナログ信号に変換されるとともに搬送周波数に変換された後、増幅器４に与えられる。
増幅器４の出力端子には、アンテナ８が接続されており、増幅器４が出力する出力信号は、送信信号としてアンテナ８から送信される。
【００３２】
また、アナログ処理部３は、増幅器４の信号出力端子と、デジタル処理部２との間に、増幅器４の出力信号を得るためのカプラ９と、第二周波数変換部１０と、ローパスフィルタ１１と、アナログ／デジタル変換器（ＡＤＣ）１２とが配置接続されている。
増幅器４の出力信号は、これらを介することで、ベースバンドの周波数に変換されるとともにデジタル変換された後、デジタル処理部２に与えられる。
【００３３】
図２は、デジタル処理部２が機能的に有する歪補償回路の機能ブロック図である。
歪補償回路２０は、増幅器４への入力信号と、アナログ処理部３から取得する増幅器４の出力信号とに基づいて増幅器４の入出力特性を推定し、その入出力特性に対して歪補償処理を行うことで、所望の増幅特性を得るものであり、増幅器４が出力する出力信号をフィードバック信号として取得し、入力信号を制御（歪補償）するものである。
歪補償回路２０は、増幅器４の入力信号を蓄積するための入力信号バッファ部２１と、入力信号バッファ部２１に蓄積される入力信号に対応して増幅器４が出力する出力信号を蓄積するための出力信号バッファ部２２と、これら両バッファ部２１、２２に蓄積される入力信号及び出力信号を取得して増幅器４の歪補償を行う歪補償部２３とを備えている。
歪補償回路２０は、さらに、出力信号バッファ部２２から出力信号を取得して当該出力信号の隣接チャネル漏洩電力比（Adjacent Channel Leakage Ratio，以下、ＡＣＬＲ値ともいう）を求めるＡＣＬＲ計算部２５と、入力信号の電力を調整するための調整部２６とを備えている。
【００３４】
歪補償部２３は、増幅器４の入出力特性を表すモデルを推定するモデル推定部２３ａと、このモデル推定部２３ａにより推定された入出力特性のモデルに基づいて歪補償を行うべく増幅装置１に与えられる送信信号（歪補償前の信号）の補正を行う信号補正部２３ｂとを備えている。
信号補正部２３ｂは、増幅装置１に与えられる送信信号（歪補償前の信号）に増幅器４の入出力特性に応じた補正（歪補償処理）を施して、増幅器４へ入力される入力信号（歪補償後の信号）を出力する。増幅器４は、歪補償部２３から予め歪補償が施された入力信号が与えられる。このため、増幅器４は、歪の無い（もしくは少ない）出力信号を出力することができる。
【００３５】
ここで、増幅器４の入出力特性は非線形特性であり、例えば、下記式（１）に示す、べき級数多項式で表現される。なお、下記式（１）中、ｚは増幅器４の出力信号、ｙは増幅器４の入力信号、ａｉは各次の係数である。
【００３６】
【数１】
2011082953.tif 000003
【００３７】
信号補正部２３ｂは、上記式（１）に基づき、下記式（２）に示す、べき級数多項式を演算し、増幅器４の入力信号ｙを求める。なお、下記式（２）中、ａｉ´は、増幅器の逆特性を示す各次の係数であり、ｘは歪補償前の増幅器４の入力信号である。
【００３８】
【数２】
2011082953.tif 000004
【００３９】
信号補正部２３ｂは、上記式（２）に示すように、増幅器４の入出力特性を表すモデルとしての増幅器４の逆特性を示す各次の係数ａｉ´に基づいて、増幅器４の歪特性の逆特性を歪補償前の入力信号ｘに付加し、増幅器４に起因する歪を打ち消すことで歪補償を行う。
【００４０】
上記式（２）中の増幅器４の逆特性を示す各次の係数ａｉ´は、モデル推定部２３ａによって求められる。モデル推定部２３ａは、増幅器４の入力信号ｙ、及び出力信号ｚに係る入出力信号データを取得し、これらに基づいて、増幅器４の入出力特性を表すモデル（逆モデル）を推定し、その推定したモデルとしての上記各次の係数ａｉ´を求める。
【００４１】
モデル推定部２３ａは、入力信号ｙを、出力信号ｚのべき級数多項式で表した増幅器モデル（逆モデル）を有しており、入力信号バッファ部２１及び出力信号バッファ部２２から取得する入出力信号を前記モデルに適用して、当該モデルを推定する。モデル推定部２３ａは、推定したモデルを示す値である各次の係数を、増幅器４の逆特性を示す各次の係数ａｉ´として、信号補正部２３ｂに出力する。
【００４２】
入力信号バッファ部２１は、増幅器４へ与えられる入力信号を、予め定められた時間幅の区間として設定されるサンプリング区間分だけ蓄積する。また、出力信号バッファ部２２も、入力信号バッファ部２１と同様、増幅器４からの出力信号を、予め定められた時間幅のサンプリング区間分だけ蓄積する。なお、出力信号バッファ部２２は、入力信号バッファ部２１の蓄積する入力信号に対応する出力信号を蓄積するように、出力信号を蓄積するタイミングが調整される。また、出力信号バッファ部２２は、アナログ処理部３からの出力信号を調整部２６を介して取得し蓄積する。この調整部２６については、後に説明する。
【００４３】
ＡＣＬＲ計算部２５は、上述のように、出力信号バッファ部２２から出力信号を取得して当該出力信号のＡＣＬＲを求める。ＡＣＬＲ計算部２５は、取得した出力信号から、当該出力信号として使用可能な使用可能周波数帯域の周波数成分、及び、この使用可能周波数帯域に隣接する隣接周波数帯域の周波数成分を取得するためのバンドパスフィルタ（図示せず）と、これら成分の電力比を求めるための演算部（図示せず）とを備えている。ここで使用可能周波数帯域とは、基地局装置ＢＳの送信信号として使用される周波数帯域、及び送信信号として使用が許容される周波数帯域を含んだ帯域であり、歪補償回路２０を備えた基地局装置ＢＳの送信信号として使用可能な周波数帯域である。
【００４４】
図３は、ＡＣＬＲ計算部２５が行う出力信号に対する処理の内容を説明するための図である。図３において、横軸は周波数、縦軸は電力を示している。
ＡＣＬＲ計算部２５は、上述のバンドパスフィルタにより、出力信号から使用可能周波数帯域の周波数成分と、この使用可能周波数帯域の周波数軸方向両側に隣接する隣接周波数帯域の周波数成分とを分離して取得する。
つまり、ＡＣＬＲ計算部２５は、両側の隣接周波数帯域の成分を漏洩電力として取得する。増幅器４の入出力特性に歪があれば、その出力信号の周波数に乱れが生じ、隣接周波数帯域に漏洩電力が生じる。従って、この漏洩電力である隣接周波数帯域の周波数成分を数値化することで、増幅器４の歪を歪レベルとして数値化することができる。
このＡＣＬＲ計算部２５では、出力信号を使用可能周波数帯域と隣接周波数帯域とに分けて双方の電力を比較すればよいので、簡易な構成で歪レベルを検出することができる。
【００４５】
ＡＣＬＲ計算部２５は、取得した各周波数帯域の成分の電力を取得する。そして、演算部は、両側の隣接周波数帯域成分の電力の平均値を漏洩電力とし、使用可能周波数帯域成分の電力に対する漏洩電力の電力比（ＡＣＬＲ値：ＡＣＬＲ値＝（漏洩電力）／（使用可能周波数帯域成分の電力））を求める。
このように、ＡＣＬＲ計算部２５は、漏洩電力である隣接周波数帯域の周波数成分をＡＣＬＲ値として数値化し、このＡＣＬＲ値を歪レベルとして検出する歪レベル検出部を構成している。
【００４６】
図２に戻って、調整部２６は、ＡＣＬＲ計算部２５が出力するＡＣＬＲ値に基づいて入力信号の電力を調整する機能を有している。
この調整部２６は、出力信号バッファ部２２と、アナログ処理部３との間に設けられた電力調整部２６ａと、この電力調整部２６ａを制御するための制御部２６ｂとを備えている。
【００４７】
電力調整部２６ａは、制御部２６ｂの制御に基づいてアナログ処理部３からの出力信号の電力を調整する機能を有している。
制御部２６ｂは、ＡＣＬＲ計算部２５からのＡＣＬＲ値に応じて、入力信号の電力調整の態様についての決定を行う。また、制御部２６ｂは、入力信号バッファ部２１から、ＡＣＬＲ値の基となった出力信号に対応する入力信号を取得し、その最大電力値に応じて、入力信号の電力調整に係る変位量の決定も行う。
【００４８】
さらに、制御部２６ｂは、基地局装置ＢＳが備えているデジタルベースバンド処理を行う信号処理部（図示せず）から、送信信号を送信するための通信フレームに含まれる単位フレームのタイミングを示す信号（フレームタイミング信号）を取得し、自己が送信信号を送信するタイミング以外のタイミングで入力信号の電力が調整されるように、電力調整部２６ａの制御を行う。
【００４９】
前記通信フレームは、複数の単位フレームを時間軸方向に並べることで構成されている。単位フレームは、基地局装置ＢＳの送信時間である下りサブフレーム（ＤＬフレーム）と、基地局装置ＢＳと通信を行う移動端末の送信時間である上りサブフレーム（ＵＬフレーム）とによって構成されている。制御部２６ｂは、ＤＬフレームでは、入力信号の電力調整は行わず、その他の時間の間に調整するように電力調整部２６ａの制御を行う。仮に、ＤＬフレーム内で電力調整が行われると、電力の増減に起因してこのＤＬフレームに格納されたデータの復調精度が低下してしまう。これに対して本実施形態では、基地局装置ＢＳが送信する送信信号は、ＤＬフレーム内では電力の調整は行われないので、上記のような復調精度の低下が生じるのを防止できる。
【００５０】
また、制御部２６ｂは、入力信号の電力を調整するにあたって、電力調整部２６ａを制御することにより、アナログ処理部３（ＡＤＣ１２）からの出力信号（出力モニタ信号）の電力を調整することで、間接的に入力信号の電力調整を行う。
ここで、アナログ処理部３から得られる出力モニタ信号は、モデル推定部２３ａ及び信号補正部２３ｂによって、歪補償が行われる。モデル推定部２３ａは入出力信号から得られる増幅器４の入出力特性の逆モデルを推定し、信号補正部２３ｂはその逆モデルに基づく逆特性を入力信号に付加することで歪補償を行う。このため、モデル推定部２３ａに与えられる出力モニタ信号の電力を実際の電力よりも小さくして与えれば、モデル推定部２３ａは、その小さくした変位量分を補間するように電力を上げようとし、前記変位量分の電力が上がるような逆モデルを推定する。信号補正部２３ｂは、この逆モデルに基づいて入力信号の電力を上げるように補正（歪補償）を行う。その一方、出力信号の電力は、実際には小さくなっていないので、入力信号の電力は、前記逆モデルによって、現状よりも相対的に上がるように調整されることとなる。
【００５１】
逆に、入力信号の電力を下げるように調整するには、モデル推定部２３ａに与えられる出力モニタ信号の電力を実際の電力よりも大きくして与えれば、入力信号の電力は、現状よりも下がるように調整される。また、その調整に係る変位量は、モデル推定部２３ａが推定する逆モデルに反映されるので、所定の変位量だけ出力モニタ信号の電力を調整すれば、入力信号側においても所定の変位量だけ調整することができる。
【００５２】
すなわち、歪補償部２３は、増幅器４が出力する出力信号をフィードバックした出力モニタ信号として取得し、入力信号を制御（歪補償）するものであるため、制御部２６ｂは、入力信号の電力を上げるように調整する際には、電力調整部２６ａに出力モニタ信号を下げるように調整させる。また、入力信号の電力を下げるように調整する際には、電力調整部２６ａに出力モニタ信号を上げるように調整させることで、間接的に入力信号の電力調整を行うことができる。
この場合、歪補償部２３が、調整部２６によって電力が調整された後の出力信号を取得して歪補償を行うことによって、入力信号の電力調整が間接的に行われるので、歪補償を行いつつ入力信号の電力調整を行うことができる。このため、増幅器４の歪補償精度の低下を抑制しつつ入力信号の電力を調整することができる。
【００５３】
次に、上記調整部２６の具体的な処理内容について説明する。図４は、調整部の制御部が行う入力信号の電力調整に関する処理を示すフローチャートである。
まず、制御部２６ｂは、自己の機能として有するカウンタ値Ｃを「０」にする（ステップＳ１００）。そして、制御部２６ｂは、ＡＣＬＲ計算部２５からＡＣＬＲ値を取得すると（ステップＳ１０１）、ＡＣＬＲ値が第一の閾値としての上限値ＰＵよりも大きいか否かを判定する（ステップＳ１０２）。
ここで上限値ＰＵは、出力信号に含まれる歪レベルとして許容可能な上限の値に設定されている。
【００５４】
ステップＳ１０２で、ＡＣＬＲ値が上限値ＰＵよりも大きいと判定すると、制御部２６ｂは、対応する入力信号の最大電力値ｙｍａｘが、予め定めた閾値ｙｔｈよりも大きいか否かを判定する（ステップＳ１０３）。入力信号の最大電力値ｙｍａｘが閾値ｙｔｈよりも大きいと判定すると、制御部２６ｂは、入力信号の電力を変位量Δｙ１で下げることを決定し、この決定に基づいて、電力調整部２６ａに出力信号の電力調整を行わせる（ステップＳ１０４）。入力信号の最大電力値ｙｍａｘが閾値ｙｔｈよりも大きくないと判定すると、制御部２６ｂは、入力信号の電力を変位量Δｙ１よりも大きい値である変位量Δｙ２で下げることを決定し、この決定に基づいて、電力調整部２６ａに出力信号の電力調整を行わせる（ステップＳ１０５）。
【００５５】
なお、入力信号の最大電力値ｙｍａｘは、図５（ａ），（ｂ）に示すように、例えば、入力信号の電力が、レンジＬ１の範囲に収まるように調整されているとした場合の入力信号における電力の最大値を指す。また、閾値ｙｔｈは、増幅器４の飽和領域と非飽和領域との境界となる可能性のある最も低い電力値よりも小さい値に設定される。
また、電力調整部２６ａが行う入力信号の電力調整は、入力信号の最大電力値ｙｍａｘに対して変位量を加算又は減算しその結果に基づいて入力信号全体の電力値を線形的に増減させることで行われる。例えば、上記ステップＳ１０４における電力調整は、最大電力値ｙｍａｘから変位量Δｙ１を減算した電力値を基準として、最大電力値以下の部分の電力値を線形的に減算することで行われる。
【００５６】
このように、制御部２６ｂは、ステップＳ１０２において、ＡＣＬＲ値が上限値ＰＵよりも大きいと判定すると、増幅器４の入出力特性の歪レベルが許容範囲を超えていると判断し、入力信号の電力を下げるように調整する（ステップＳ１０４、Ｓ１０５）。その後、カウンタ値Ｃを「０」にし、ステップＳ１０１に戻る。
【００５７】
一方、ステップＳ１０２において、ＡＣＬＲ値が上限値ＰＵよりも大きくないと判定すると、制御部２６ｂは、ＡＣＬＲ値が第二の閾値としての下限値ＰＬより小さいか否かを判定する（ステップＳ１０６）。この下限値ＰＬは、上限値ＰＵよりも小さく、歪補償の精度を維持しつつより入力信号の電力を上げることが可能な余地を有していると判断できる程度に小さい歪レベルの値に設定される。
【００５８】
ステップＳ１０６で、ＡＣＬＲ値が下限値ＰＬよりも小さいと判定すると、制御部２６ｂは、入力信号電力（の最大電力値ｙｍａｘ）が予め定められた上限値ｙｕ（図５参照）以上であるか否かを判定する（ステップＳ１０７）。
ステップＳ１０７で、入力信号電力が上限値ｙｕ以上でないと判定すると、対応する入力信号の最大電力値ｙｍａｘが、予め定めた閾値ｙｔｈよりも大きいか否かを判定する（ステップＳ１０８）。
ステップＳ１０８において、入力信号の最大電力値ｙｍａｘが閾値ｙｔｈよりも大きいと判定すると、制御部２６ｂは、入力信号の電力を変位量Δｙ３で上げることを決定し、この決定に基づいて、電力調整部２６ａに出力信号の電力調整を行わせる（ステップＳ１０９）。
入力信号の最大電力値ｙｍａｘが閾値ｙｔｈよりも大きくないと判定すると、制御部２６ｂは、入力信号の電力を変位量Δｙ３よりも大きい値である変位量Δｙ４で上げることを決定し、この決定に基づいて、電力調整部２６ａに出力信号の電力調整を行わせる（ステップＳ１１０）。
【００５９】
このように、制御部２６ｂは、ステップＳ１０６において、ＡＣＬＲ値が下限値ＰＬよりも小さいと判定しかつ入力信号電力が上限値ｙｕ以上でないと判定すると、入力信号の電力を増加させることができると判断し、入力信号の電力を上げるように調整する（ステップＳ１０９，Ｓ１１０）。
なお、上記変位量Δｙ４は、変位量Δｙ１よりも小さい値に設定されている。このため、入力信号の電力を上げる際の変位量は、電力を下げる際の変位量よりも小さく設定されている。
【００６０】
一方、ステップＳ１０７で、入力信号電力が上限値ｙｕ以上であると判定すると、制御部２６ｂは、入力信号電力（の最大電力値ｙｍａｘ）を上限値ｙｕに設定する（ステップＳ１１１）。なお、この上限値ｙｕは、増幅器４が実用上、増幅可能な入力電力の最大値に設定されている。制御部２６ｂは、上記構成によって、増幅器４に上限値ｙｕよりも大きい電力の入力信号を入力しないように制御することができる。
【００６１】
ついで、ステップＳ１０９，Ｓ１１０にて入力信号の電力を上げるように調整した後、又は、ステップＳ１１１にて入力信号の電力を上限値ｙｕに設定することを決定した後、制御部２６ｂは、所定時間待機し（ステップＳ１１２）、その後、カウンタ値Ｃを「０」にして（ステップＳ１１６）ステップＳ１０１に戻る。
【００６２】
上記のように、制御部２６ｂは、入力信号の電力の調整の後、所定時間待機することで、入力信号の電力の調整を行うタイミングについて時間的な間隔を設けることができ、入力信号の電力調整に係る処理を行う上でハンチングが発生するのを抑制することができる。これによって、電力調整の際、送信信号の電力が激しく変化するのを防止でき、基地局装置ＢＳの送信信号を受信する移動端末に与える影響を低減することができる。
なお、所定時間待機させるタイミングとしては、入力信号の電力を上げるように調整した後、又は、電力を下げるように調整した後のいずれか一方に設定されていればよいが、本実施形態のように、入力信号の電力を上げるように調整した後に設定する方が好ましい。後述するように、入力信号の電力を上げる際には、徐々に上げれば足りるが、電力を下げると決定する場合には、現状歪が生じている状態であり、早急に調整の必要性があるからである。
【００６３】
ステップＳ１０６に戻って、ＡＣＬＲ値が下限値ＰＬよりも小さくないと判定すると（ステップＳ１０６）、カウンタ値Ｃが予め定めた閾値Ｃｔｈよりも大きいか否かを判定する（ステップＳ１１３）。
カウンタ値Ｃが閾値Ｃｔｈよりも大きいと判定した場合、制御部２６ｂは、ステップＳ１０７に進み、入力信号電力を上げるように調整する（ステップＳ１０８，Ｓ１０９，Ｓ１１０，Ｓ１１１）。
【００６４】
一方、カウンタ値Ｃが閾値Ｃｔｈよりも大きくないと判定した場合、制御部２６ｂは、入力信号の電力を維持することを決定する（ステップＳ１１４）。従って、制御部２６ｂは、電力調整部２６ａに出力信号の電力について現状維持させる。
次いで制御部２６ｂは、カウンタ値Ｃに「１」を加え（ステップＳ１１５）、ステップＳ１０１に戻る。
つまり、ＡＣＬＲ値が、上限値ＰＵと下限値ＰＬとの間で維持された状態であれば、ＡＣＬＲ値の取得ごとにカウンタ値Ｃの値が増加する。その増加によって、カウンタ値Ｃが閾値Ｃｔｈよりも大きくなると、制御部２６ｂは、入力信号電力を上げるように調整する。すなわち、制御部２６ｂは、ＡＣＬＲ値が、上限値ＰＵと下限値ＰＬとの間で維持された状態が所定の期間継続すると、入力信号電力を上げるように制御を行う。
なお、閾値Ｃｔｈは、ＡＣＬＲ値の取得の間隔に応じて、入力信号電力を上げると判断するまでの前記所定の期間を定める値であり、ＡＣＬＲ値が安定したと判断できる程度の期間が確保できる値に設定される。
【００６５】
例えば、何らかの原因によって一時的に歪レベルが増加した場合、制御部２６ｂは、入力信号を下げるように調整することで歪レベルを減少させるが、その後、一時的に歪レベルを増加させた原因がなくなることがある。このような場合、歪レベルは低い状態で維持されるが、歪レベルの増加原因がなくなることで入力信号の電力を上げる余地が生じる。
本実施形態では、上記のような場合においても、ＡＣＬＲ値が、上限値ＰＵと下限値ＰＬとの間で所定の期間安定して維持された場合、入力信号電力を上げるように調整する。このため、入力信号電力を下げた後に歪レベルが安定した場合においても、入力信号電力を上げるように調整を開始するので、歪レベルを抑えつつできるだけ大きな入力信号電力となるように調整することができる。
【００６６】
上記のように構成された歪補償回路２０によれば、ＡＣＬＲ計算部２５が検出する歪レベルを示すＡＣＬＲ値に応じて入力信号の電力を調整する調整部２６を備えているので、温度変化や経年劣化に起因して増幅器の入出力特性に大きな歪が生じたとしても、その歪レベルに応じて歪補償を行うことが可能なレベルにまで入力信号の電力を調整することができ、この結果、歪補償の精度低下を抑制することができる。
【００６７】
具体的には、入力信号の電力が比較的高い領域では、飽和領域の変動等によって歪が大きく現れ易い。図５（ａ）は、増幅器の入出力特性について、通常の場合と、大きく歪が現れている場合とを模式的に示した図であり、（ｂ）は、前記入出力特性と対応付けて表した入力信号を示す図である。
図５（ａ）中、破線が通常の場合の入出力特性を示しており、実線が大きく歪が現れている場合の入出力特性の一例を示している。
【００６８】
図において、例えば、通常の場合と比較して、飽和領域の低下が生じている場合、増幅器４における使用レンジがＬ１からＬ２に狭まるように、入力信号の電力を下げれば、飽和領域の低下に起因して歪が大きく現れる領域の使用を回避することができる。また、大きな変曲部分等の高次の歪が生じている場合においても、入力信号の電力値を下げて、増幅器４における使用レンジを狭めれば、相対的に歪レベルは低下し、高次の歪による影響を抑えることができる。
このように、入力信号の電力を下げるように調整し、歪レベルを減少させることで、歪補償部２３による歪補償を効果的に作用させることができ、この結果、歪補償の精度低下を抑制できる。これにより、増幅器４の入出力特性に現れる歪を抑制することができる。
【００６９】
本実施形態では、調整部２６は、ＡＣＬＲ計算部２５が検出したＡＣＬＲ値が、上限値ＰＵより大きいか否かを判定し、ＡＣＬＲ値が上限値ＰＵよりも大きいと判定する場合には、入力信号の電力を下げるように調整するので、上述のように増幅器４の入出力特性における歪レベルを減少させることができ、この結果、歪補償の精度低下を抑制できる。
【００７０】
一方、ＡＣＬＲ値が上限値ＰＵよりも十分に小さい場合には、歪補償の精度を維持しつつより入力信号の電力を上げることが可能な余地を有していると判断できる。
このため、調整部２６は、ＡＣＬＲ値が上限値ＰＵよりも小さい値に設定された下限値ＰＬより小さいか否かを判定し、ＡＣＬＲ値が下限値ＰＬよりも小さいと判定する場合には、入力信号の電力を上げるように調整する。
この場合、調整部２６は、入力信号の電力を下げることでＡＣＬＲ値が減少した後に、ＡＣＬＲ値が十分に小さいと判定すれば、入力信号の電力を上げるように調整するので、例えば、何らかの原因で増幅器４の入出力特性における歪レベルが一時的に増加し、再度、歪レベルが減少するように変化した場合においても、入力信号の電力を下げた状態のままで維持してしまうことを防止できる。
さらに、本実施形態では、入力信号電力を下げることで歪レベルが安定し、ＡＣＬＲ値が、上限値ＰＵと下限値ＰＬとの間で所定の期間だけ安定維持された場合に、入力信号電力を上げるように調整するので（ステップＳ１１３〜Ｓ１１５）、入力信号の電力を下げた状態のままで維持してしまうことを防止できる。
【００７１】
上記実施形態において、入力信号の電力を下げる場合には、その直前に推定したモデルの推定可能な範囲内で調整されるため精度良く歪補償を行うことができる一方、入力信号の電力を上げる場合には、電力を増加させた領域部分が直前に推定したモデルの範囲に含まれていないため、その領域部分については、精度よく歪補償を行うことができない場合がある。このため、本実施形態では、上述したように、調整部２６が入力信号の電力を上げる際の変位量Δｙ３，Δｙ４は、入力信号の電力を下げる際の変位量Δｙ１，Δｙ２よりも小さく設定されている。
これにより、入力信号の電力を上げる場合には、下げる場合よりも小さな変位量で徐々に電力を増加させることができるので、歪補償の精度を大きく低下させてしまうのを防止できる。
【００７２】
また、例えば、入力信号の最大電力値が比較的大きく、増幅器の入出力特性における飽和領域近傍に位置している場合には、当該入力信号の電力を大きく変位させると、歪レベルを大きく変位させてしまい、歪補償の精度を低下させるおそれがある。
この点、本実施形態では、制御部２６ｂが、ステップＳ１０３（ステップＳ１０８）において、入力信号の最大電力値ｙｍａｘが、閾値ｙｔｈよりも大きいか否かを判定し、その判定結果に応じて、入力信号の電力調整に係る変位量について、変位量Δｙ１（変位量Δｙ３）、又は、変位量Δｙ１よりも大きい変位量Δｙ２（変位量Δｙ４）のいずれか一方を選択するので、歪レベルが大きく変位させるおそれのある入力信号の最大電力値が比較的大きい場合（入力信号の最大電力値ｙｍａｘが、閾値ｙｔｈよりも大きい場合）には、入力信号の電力調整に係る変位量を小さく調整することが可能となり、歪補償の精度が低下するのを抑えることができる。
【００７３】
図６は、本発明の第二の実施形態に係る歪補償回路の機能ブロック図である。本実施形態と、第一の実施形態との相違点は、ＡＣＬＲ計算部２５に代えてモデル化誤差計算部２７を備えている点である。
モデル化誤差計算部２７は、モデル推定部２３ａが推定した逆モデルにより求まる推定値と、実際の信号電力との誤差を求める。増幅器４の入出力特性に大きな歪がなければ、モデル推定部２３ａによる逆モデルには、大きな誤差は生じない。しかし、増幅器４の入出力特性に大きな歪が生じると、モデル推定部２３ａによる逆モデルの推定において実際の値との誤差が生じ易くなり、この誤差は、歪レベルに応じて増加する傾向がある。従って、上記誤差量を数値化することで、増幅器４の歪について数値化することができる。
【００７４】
以下、モデル化誤差計算部２７による、逆モデルのモデル化誤差量を求める方法について説明する。
モデル推定部２３ａは、上述のように、入力信号ｙを、出力信号ｚのべき級数多項式で表した増幅器モデル（逆モデル）を有しており、この逆モデルは、下記式（３）のように表される。
【００７５】
【数３】
2011082953.tif 000005
【００７６】
モデル推定部２３ａは、上記式（３）に、両バッファ部２１，２２からの入力信号及び出力信号を代入し、演算することで、各次の係数ａｉ´を求めることで、入力信号ｙを求めるための出力信号ｚに関する逆モデルを示す関数を推定する。
【００７７】
図７は、両バッファ部２１，２２に蓄積される入力信号及び出力信号の関係を示したグラフであり、各信号と逆モデルとの関係を説明するための図である。図において、横軸に出力信号ｚ、縦軸に入力信号ｙを示している。また、逆モデルは、図中の曲線ｆ（ｚ）により表されている。
【００７８】
ここで、例えば、互いに対応する入力信号及び出力信号によって定まる観測点Ｋ１における、逆モデル関数の誤差について説明する。観測点Ｋ１では、出力信号の電力値がｚ１、入力信号の電力値がｙｚ１とする。
この観測点Ｋ１における実際の入力信号の電力値と、モデル推定部２３ａが推定した逆モデルにより求まる推定入力電力値との誤差量は、図６及び下記式（４）で表される。
観測点Ｋ１における誤差量  ＝  ｙｚ１  −  ｆ（ｚ１）      ・・・・（４）
【００７９】
モデル化誤差計算部２７は、モデル推定部２３ａより、推定された逆モデル、及び観測点として対応付けられた入出力信号を取得し、下記式（５）に示すように、各観測点について上記誤差量を求め、それらの二乗和を実際の入力信号の二乗和に対する割合とした値をモデル化誤差量として求める。
【００８０】
【数４】
2011082953.tif 000006
【００８１】
以上のように、モデル化誤差計算部２７は、モデル推定部２３ａが推定する増幅器４の入出力特性を表すモデル（逆モデル）と、両信号バッファ部２１，２２から取得した入力信号及び出力信号から表される増幅器４の実際の入出力特性との間の差をモデル化誤差量として数値化し、このモデル化誤差量を歪レベルとして検出する歪レベル検出部を構成している。
【００８２】
本実施形態の調整部２６は、モデル化誤差計算部２７が出力するモデル化誤差量に基づいて入力信号の電力を調整する機能を有している。調整部２６における処理は上記第一の実施形態と同様であり、モデル化誤差量に対する上限値、下限値等が設定され、制御部２６ｂは、それらに基づいて入力信号の電力の調整を行う。
【００８３】
本実施形態によれば、モデル化誤差計算部２７によって歪レベルを検出するように構成したので、推定した逆モデル関数により推定した入力信号の電力の誤差量が把握でき、調整部２６はこの誤差量に基づいた入力信号の電力調整を行うことができる。この結果、より精度の高い歪補償を行うことができる。
【００８４】
上記各実施形態では、調整部２６を出力信号バッファ部２２と、アナログ処理部３との間に設け、出力モニタ信号の電力を調整することで、間接的に入力信号の電力を調整するように構成した場合を例示したが、この調整部２６は、信号補正部２３ｂの上流側、又は下流側に設けることもできる。この場合、調整部２６は、制御部２６ｂが決定した態様にしたがって入力信号の電力を直接的に調整することができる。
上記両実施形態のように、出力信号バッファ部２２の上流側に調整部２６を配置した場合、その調整の効果は、モデル推定部２３ａ及び信号補正部２３ｂを介して入力信号に反映されるので、歪補償がなされる点で有利であるが、出力モニタ信号の電力を調整して間接的に入力信号の電力を調整しているので、調整の効果が入力信号に反映するまでに多少のタイムラグが生じる。
一方、調整部２６は、信号補正部２３ｂの上流側、又は下流側に設けた場合には、入力信号の電力調整が送信信号に対して即座に反映される点で有利である。
【００８５】
また、上記各実施形態では、入力信号の電力調整を入力信号の最大電力値に基づいて行うように構成したが、これに限定されるものではなく、例えば、入力信号の平均電力値等に基づいて調整することもできる。
【００８６】
また、上記各実施形態において、歪レベルが急激に大きく変化した場合には、速やかに歪レベルを減少させるために、入力信号の電力もそれに応じて大きく変化させる必要が生じる。そこで、調整部２６ｂは、歪レベルを示すＡＣＬＲ値及び／又はモデル化誤差量に応じて、入力信号の電力調整に係る変位量を調整するように構成することもできる。これにより、歪レベルが急激に大きく変化したとしても、速やかに歪レベルを減少させることができる。
この場合、制御部２６ｂが、ステップＳ１０３（ステップＳ１０８）において、入力信号の電力（の最大電力値）に応じて、当該入力信号の電力調整に係る変位量を調整する場合と同様に、ＡＣＬＲ値及びモデル化誤差量に閾値を設け、それに応じて前記変位量を調整するように構成される。
【００８７】
図８は、本発明の第三の実施形態に係る基地局装置の増幅装置１を示すブロック図である。本実施形態と、第一の実施形態との相違点は、電源部３０（上記図１では記載を省略）によって増幅器４に付与される電源電圧（ドレイン電圧）を調整する電源電圧調整部３１をさらに備えている点である。
【００８８】
上記第一及び第二の実施形態では、入力信号の電力の調整によって歪補償の精度低下を抑制し、増幅器４の入出力特性に生じる歪を抑制する場合を示したが、本実施形態の増幅装置１は、入力信号の電力調整によって増幅器４の入出力特性の歪を抑制するのに加えて、電源電圧を調整することによっても増幅器４の入出力特性の歪を抑制することができる。つまり、本実施形態の増幅装置１は、入力信号の電力調整と、電源電圧の調整とを併用し、増幅器４の入出力特性の歪を抑制するように構成されている。
【００８９】
電源電圧調整部３１は、歪補償回路２０に含まれるＡＣＬＲ計算部２５（図２）に接続されており、当該ＡＣＬＲ計算部２５が出力する、増幅器４の入出力特性に現れる歪を数値化した歪レベルとしてのＡＣＬＲ値を取得するように構成されている。電源電圧調整部３１は、電源部３０を制御することで、ＡＣＬＲ計算部２５から出力されるＡＣＬＲ値に応じて電源電圧を調整する機能を有している。なお、この電源電圧の調整に関する処理については後に詳述する。
【００９０】
本実施形態において、調整部２６の制御部２６ｂは、ＡＣＬＲ値が予め定められた閾値Ｐｔｈよりも大きいか否かを判定し、ＡＣＬＲ値が閾値Ｐｔｈよりも大きい場合に、上記図４中のフローチャートにて示した入力信号の電力の調整に関する処理を実行する。また、制御部２６ｂは、前記判定を行い、電力の調整に関する処理を実行した状態、又は、調整に関する処理を停止した状態を維持しつつ所定時間待機し、その後、調整に関する処理を停止した上で再度、前記判定を行うように構成されている。
【００９１】
図９は、上述のように動作する制御部２６ｂによって実現される、入力信号の電力調整と、電源電圧の調整とが併用されたときの処理を示すフローチャートである。
まず、ステップＳ２０１において、制御部２６ｂは、入力信号の電力調整に関する処理を停止し、所定時間待機する（ステップＳ２０１）。
ここで、電圧調整部３１による電源電圧の調整に関する処理は、入力信号の電力調整に関する処理の実行停止に関わらず常に実行される。従って、入力信号の電力調整に関する処理が停止されると、制御部２６ｂが待機する前記所定時間の間、電源電圧調整に関する処理のみ実行される（ステップＳ２０２）。なお、ステップＳ２０１における制御部２６ｂが待機する所定時間は、電源電圧調整部３１のみによる電源電圧の調整に関する処理が行われ、かつ増幅器４の入出力特性に対してその調整の効果が反映されるのに必要な時間に設定される。
【００９２】
入力信号の電力調整に関する処理を停止した上で、所定時間待機した後（ステップＳ２０１）、制御部２６ｂは、現状のＡＣＬＲ値が第三の閾値としての閾値Ｐｔｈよりも大きいか否かを判定する（ステップＳ２０３）。
ステップＳ２０３において、ＡＣＬＲ値が閾値Ｐｔｈよりも大きいと判定された場合、制御部２６ｂは、入力信号の電力調整に関する処理を実行する。従って、この場合、電源電圧の調整に関する処理に加え、入力信号の電力調整に関する処理が実行される（ステップＳ２０４）。次いで、制御部２６ｂは、入力信号の電力調整に関する処理を実行した状態で、所定時間待機し（ステップＳ２０６）、スタートに戻る。
一方、ＡＣＬＲ値が閾値Ｐｔｈよりも大きくないと判定された場合、制御部２６ｂは、入力信号の電力調整に関する処理を停止した状態を維持する。従って、この場合、電源電圧の調整に関する処理のみが行われる（ステップＳ２０５）。制御部２６ｂは、入力信号の電力調整に関する処理を停止した状態で、所定時間待機し（ステップＳ２０６）、スタートに戻る。なお、このステップＳ２０６における制御部２６ｂが待機する所定時間は、電源電圧調整部３１による電源電圧の調整に関する処理、及び調整部２６による入力信号の電力調整に関する処理が行われ、かつ増幅器４の入出力特性に対してその調整の効果が反映されるのに必要な時間に設定される。
【００９３】
所定時間待機の後、ステップＳ２０１に戻り、制御部２６ｂは、入力信号の電力調整に関する調整を停止するので、電源電圧調整に関する処理のみが実行され（ステップＳ２０２）、以降、上述のステップを繰り返す。なお、制御部２６ｂは、入力信号の電力調整に関する処理を停止した後、再度調整に関する処理を開始するときは、予め定められた基準となる信号電力にリセットした上で調整を開始する。
【００９４】
ここで、閾値Ｐｔｈは、増幅器４の入出力特性に生じる歪レベルとして許容可能な上限の値、例えば、上記第一の実施形態における上限値ＰＵと同一の値に設定される。
つまり、本実施形態では、電源電圧調整部３１による電源電圧の調整のみでは歪レベルとしてのＡＣＬＲ値が閾値Ｐｔｈ以下に抑えることができないときには、電源電圧の調整に加えて、調整部２６の制御部２６ｂによってさらに歪が抑制されるように入力信号の電力調整を実行する。
これにより、電源電圧調整部３１の電源電圧の調整による歪の抑制効果を、調整部２６による入力信号の電力調整によって補完することができ、より効果的に増幅器４の入出力特性に現れる歪を抑制することができる。
【００９５】
次に、電源電圧調整部３１が行う、電源電圧の調整に関する処理内容について説明する。図１０は、電源電圧調整部３１が行う電源電圧の調整に関する処理を示すフローチャートである。
まず、電源電圧調整部３１は、自己の機能として有するカウンタのカウンタ値Ｄを「０」にする（ステップＳ３００）。そして、電源電圧調整部３１は、ＡＣＬＲ計算部２５からＡＣＬＲ値を取得し（ステップＳ３０１）、ＡＣＬＲ値が上記第一の実施形態にて示した、入出力信号に現れる歪レベルとして許容可能な上限の値である上限値ＰＵ（第四の閾値）よりも大きいか否かを判定する（ステップＳ３０２）。
【００９６】
ステップＳ３０２で、ＡＣＬＲ値が上限値ＰＵよりも大きいと判定すると、電源電圧調整部３１は、現状の電源電圧が上限値ＶＵ以上であるか否かを判定する（ステップＳ３０３）。現状の電源電圧が上限値ＶＵ以上であると判定すると、電源電圧調整部３１は、電源電圧を上限値ＶＵに設定する（ステップＳ３０５）。現状の電源電圧が上限値ＶＵ以上でないと判定すると、電源電圧調整部３１は、現状の電源電圧に対して、予め定めた所定の変位量だけ電源電圧を上げるように調整する（ステップＳ３０４）。
【００９７】
このように、電源電圧調整部３１は、ステップＳ３０２において、ＡＣＬＲ値が上限値ＰＵよりも大きいと判定すると、増幅器４の入出力特性の歪レベルが許容範囲を超えていると判断し、電源電圧を上げるように調整する（ステップＳ３０４）。これによって、増幅器４の入出力特性の歪が飽和領域の低下として現れている場合には、電源電圧を上げることで、この飽和領域を相対的に上昇させることができ、入力信号の電力の範囲内における歪が抑制される方向に調整することができる。
【００９８】
なお、電源電圧の上限値ＶＵは、例えば、増幅器４の定格電圧と絶対最大定格電圧との間の値に設定されている。
上記ステップＳ３０４、又はＳ３０５による処理の後、電源電圧調整部３１は、カウンタ値Ｄを「０」にし（ステップＳ３１４）、ステップＳ３０１に戻る。
【００９９】
一方、ステップＳ３０２において、ＡＣＬＲ値が上限値ＰＵよりも大きくないと判定すると、制御部２６ｂは、ＡＣＬＲ値が下限値ＰＬ（第五の閾値）より小さいか否かを判定する（ステップＳ３０６）。この下限値ＰＬは、上述の第一の実施形態の下限値ＰＬと同様であり、上限値ＰＵよりも小さく、電源電圧を下げることが可能な（歪が抑制される方向とは逆の方向に調整可能な）余地を有していると判断できる程度に小さい歪レベルの値に設定される。
【０１００】
ステップＳ３０６で、ＡＣＬＲ値が下限値ＰＬよりも小さいと判定すると、電源電圧調整部３１は、現状の電源電圧が下限値ＶＬ未満であるか否かを判定する（ステップＳ３０７）。現状の電源電圧が下限値ＶＬ未満であると判定すると、電源電圧調整部３１は、電源電圧を下限値ＶＬに設定する（ステップＳ３０８）。現状の電源電圧が下限値ＶＬ未満でないと判定すると、電源電圧調整部３１は、現状の電源電圧に対して、予め定めた所定の変位量だけ電源電圧を下げるように調整する（ステップＳ３０９）。
なお、電源電圧の下限値ＶＬは、例えば、増幅器４の定格電圧に設定される。
【０１０１】
このように、電源電圧調整部３１は、ステップＳ３０６において、ＡＣＬＲ値が下限値ＰＬよりも小さいと判定し、かつステップＳ３０７で現状の電源電圧が下限値ＶＬ未満でないと判定すると、電源電圧を下げることができると判断し、電源電圧を下げるように調整する（ステップＳ３０９）。
なお、ステップＳ３０９で電源電圧を下げる際の変位量は、ステップＳ３０４で電源電圧を上げる際の変位量よりも小さい値に設定されている。
【０１０２】
ステップＳ３０８、又はＳ３０９による処理の後、電源電圧調整部３１は、所定時間待機し（ステップＳ３１０）、その後、カウンタ値Ｄを「０」にして（ステップＳ３１４）、ステップＳ３０１に戻る。
【０１０３】
上記のように、電源電圧調整部３１は、電源電圧の調整の後、所定時間待機することで、電源電圧の調整を行うタイミングについて時間的な間隔を設けることができ、電源電圧の調整に係る処理を行う上でハンチングが発生するのを抑制することができる。
なお、所定時間待機させるタイミングとしては、電源電圧を上げるように調整した後、又は、電源電圧を下げるように調整した後のいずれか一方に設定されていればよいが、本実施形態のように、電源電圧を下げるように調整した後に設定する方が好ましい。後述するように、電源電圧を下げる際には、徐々に下げれば足りるが、電源電圧を上げる際には、現状歪が生じている状態であり、早急に調整の必要性があるからである。
【０１０４】
ステップＳ３０６に戻って、ＡＣＬＲ値が下限値ＰＬよりも小さくないと判定すると（ステップＳ３０６）、電源電圧調整部３１は、カウンタ値Ｄが予め定めた閾値Ｄｔｈよりも大きいか否かを判定する（ステップＳ３１１）。
カウンタ値Ｄが閾値Ｄｔｈよりも大きいと判定した場合、電源電圧調整部３１は、ステップＳ３０７に進み、電源電圧を上げるように調整する（ステップＳ３０７〜Ｓ３０９）。
【０１０５】
一方、カウンタ値Ｄが閾値Ｄｔｈよりも大きくないと判定した場合、電源電圧調整部３１は、電源電圧を維持する（ステップＳ３１２）。
次いで電源電圧調整部３１は、カウンタ値Ｄに「１」を加え（ステップＳ３１３）、ステップＳ３０１に戻る。
つまり、ＡＣＬＲ値が、上限値ＰＵと下限値ＰＬとの間で維持された状態であれば、ＡＣＬＲ値の取得ごとにカウンタ値Ｄの値が閾値Ｄｔｈより大きくなるまで、電源電圧調整部３１は電源電圧を維持する調整を行う。そして、カウンタ値Ｄが閾値Ｄｔｈよりも大きくなると、電源電圧調整部３１は、電源電圧を下げるように調整する。すなわち、電源電圧調整部３１は、ＡＣＬＲ値が、上限値ＰＵと下限値ＰＬとの間で維持された状態が、カウンタ値Ｄが閾値Ｄｔｈに達するまでの所定の期間継続すると、電源電圧を下げるように調整を行う。
なお、閾値Ｄｔｈは、ＡＣＬＲ値の取得の間隔に応じて、電源電圧を下げると判断するまでの前記所定の期間を定める値であり、ＡＣＬＲ値が安定したと判断できる程度の期間が確保できる値に設定される。
【０１０６】
例えば、何らかの原因によって一時的に歪レベルが増加した場合、電源電圧調整部３１は、電源電圧を上げるように調整することで歪レベルを減少させようとするが、その後、一時的に歪レベルを増加させた原因がなくなることがある。このような場合、歪レベルは低い状態で維持されるが、歪レベルの増加原因がなくなることで電源電圧を下げる余地が生じる。
本実施形態では、上記のような場合においても、ＡＣＬＲ値が、上限値ＰＵと下限値ＰＬとの間で所定の期間安定して維持された場合、電源電圧を下げるように調整する。このため、電源電圧を上げた後に歪レベルが安定した場合においても、電源電圧を下げるように調整を開始するので、歪レベルを抑えつつできるだけ小さな電源電圧となるように調整でき、増幅装置１の効率性の悪化を防止することができる。
【０１０７】
以上のようにして、電源電圧調整部３１は、図１０に示したフローチャートに従って処理を繰り返すことで、ＡＣＬＲ値に応じて電源部３０の電源電圧の調整に関する処理を行う。
【０１０８】
上記のように構成された増幅装置１によれば、ＡＣＬＲ計算部２５が検出する歪レベルを示すＡＣＬＲ値に応じて電源電圧を調整する電源電圧調整部３１を備えているので、温度変化や経年劣化に起因して増幅器４の入出力特性に大きな歪が生じたとしても、その歪レベルに応じて歪が抑制される方向に電源電圧を調整することができ、この結果、増幅器４の入出力特性に現れる歪を抑制することができる。
【０１０９】
本実施形態の電源電圧調整部３１は、ＡＣＬＲ値が、歪レベルとして許容可能な上限値ＶＵより大きいか否かを判定し、ＡＣＬＲ値が上限値ＶＵよりも大きいと判定する場合には、電源電圧を上げるように調整する。
つまり、ＡＣＬＲ値が上限値よりも大きくなれば、ＡＣＬＲ値が上限値を下回るまで、上限値ＶＵと下限値ＶＬとの間の範囲内で、電源電圧を所定の変位量ごとに上げるように調整する。
電源電圧を上げるように調整すれば、増幅器４の飽和領域を相対的に上昇させることができ、増幅器４の入出力特性の歪が飽和領域の低下として現れている場合には、入力信号の電力の範囲内における歪が抑制される方向に調整される。これによって、増幅器４の入出力特性に現れる歪を抑制することができる。
【０１１０】
一方、ＡＣＬＲ値が上限値ＰＵよりも十分に小さい場合には、歪を抑制しつつより電源電圧を下げることが可能な余地を有していると判断できる。
このため、電源電圧調整部３１は、ＡＣＬＲ値が上限値ＰＵよりも小さい値に設定された下限値ＰＬより小さいか否かを判定し、ＡＣＬＲ値が下限値ＰＬよりも小さいと判定する場合には、電源電圧を下げるように調整する。
この場合、電源電圧調整部３１は、電源電圧を上げることでＡＣＬＲ値が減少した後に、ＡＣＬＲ値が十分に小さいと判定すれば、電源電圧を下げるように調整するので、例えば、何らかの原因で増幅器４の入出力特性における歪レベルが一時的に増加し、再度、歪レベルが減少するように変化した場合においても、電源電圧を上げた状態のままで維持してしまうことを防止できる。
さらに、本実施形態では、電源電圧を上げることで歪レベルが安定し、ＡＣＬＲ値が、上限値ＰＵと下限値ＰＬとの間で所定の期間だけ安定維持された場合に、電源電圧を下げるように調整するので（ステップＳ３１１〜Ｓ３１３）、電源電圧を上げた状態のままで維持してしまうことを防止できる。
【０１１１】
上記実施形態において、電源電圧を上げる場合には、増幅器４の入出力特性が悪化する可能性が少ない一方、電源電圧を下げる場合には、飽和領域が低下し増幅器４の入出力特性に歪が生じる場合がある。このため、本実施形態では、上述したように、電源電圧調整部３１が電源電圧を下げる際の変位量は、上げる際の変位量よりも小さく設定されている。
これにより、電源電圧を下げる場合には、上げる場合よりも小さな変位量で徐々に電源電圧を小さくさせることができるので、調整によって、増幅器４の入出力特性に大きな歪を生じさせてしまうのを抑制することができる。
【０１１２】
また、本実施形態において、歪レベルが急激に大きく変化した場合には、速やかに歪レベルを減少させるために、電源電圧もそれに応じて大きく変化させる必要が生じる。そこで、電源電圧調整部３１は、歪レベルを示すＡＣＬＲ値に応じて、電源電圧の調整に係る変位量を調整するように構成することもできる。例えば、ＡＣＬＲ値が大きくなるほど電源電圧を上げる際の変位量を大きくなるように設定すれば、歪レベルが急激に大きく変化したとしても、速やかに歪レベルを減少させることができる。
【０１１３】
また、本実施形態では、第一の実施形態で示した歪補償回路２０と、電源電圧調整部３１とを備え、電源電圧調整部３１が、ＡＣＬＲ計算部２５により検出された歪レベルを用いて電源電圧を調整する場合を例示したが、上記第二の実施形態で示した歪補償回路２０と、電源電圧調整部３１とを備え、電源電圧調整部３１が、モデル化誤差計算部２７により出力されるモデル化誤差量を歪レベルとして用いて電源電圧を調整することもできる。
【０１１４】
なお、本実施形態では、上述したように、例えば、電源電圧調整部３１による電源電圧の調整に関する処理によって、ＡＣＬＲ値が閾値Ｐｔｈ以下に抑えることができないときには、上述の電源電圧調整部３１による電源電圧の調整に関する処理に加えて、調整部２６によって入力信号の電力調整に関する処理が行われる。
これにより、電源電圧調整部３１の電源電圧の調整による歪の抑制効果を、調整部２６による入力信号の電力調整によって補完することができ、より効果的に増幅器４の入出力特性に現れる歪を抑制することができる。
【０１１５】
また、本実施形態では、電源電圧調整部３１が電源部３０による電源電圧を調整するように構成したが、例えば、図１１に示すように、電源部３０に代えて、入力信号のエンベロープ信号に応じて変調された電源電圧を増幅器４に付与するエンベロープトラッキング機能を有する電源変調部４０を備え、電源電圧調整部３１がこの電源変調部４０の電源電圧の調整を行うように構成することもできる。
【０１１６】
図１１中、電源変調部４０は、入力信号を検波してエンベロープ信号を取り出す検波部４１と、取り出したエンベロープ信号に対して電力−電圧変換及びＤ／Ａ変換を行い増幅器４に電源電圧を付与する電圧制御部４２とを備えている。
電圧制御部４２は、エンベロープ信号に応じた電源電圧を、所定の電圧範囲内で変調して増幅器４に付与する。電圧制御部４２は、エンベロープ信号の電力が比較的低いときは、電源電圧を抑え、エンベロープ信号の電力が比較的高いときは、それに応じて電源電圧を上げるように制御することで電力効率を高める、いわゆるエンベロープトラッキング方式によって電源電圧を制御する。
【０１１７】
ここで、図１１における電源電圧調整部３１では、電源電圧を調整する機能として、電圧制御部４２が電源電圧を制御する際の所定の電圧範囲における最大値を調整する機能を有している。
電源電圧調整部３１は、ＡＣＬＲ計算部２５からのＡＣＬＲ値に応じて前記最大値を調整する。なお、前記最大値は、上記実施形態と同様、図１０で示したフローチャートに基づいて定めることができる。
【０１１８】
なお、本発明は、上記各実施形態に限定されることはない。
例えば、上記第一及び第二の実施形態では、調整部２６によって入力信号の電力のみを調整する場合、第三の実施形態では、調整部２６に加えてさらに電源電圧調整部３１をさらに備え、入力信号の電力と、増幅器４に付与される電源電圧（ドレイン電圧）とを調整する場合を示したが、調整部２６を備えずに電源電圧調整部３１を備えることで、電源電圧のみを調整することで、増幅器４の入出力特性に生じる歪を抑制するように構成してもよい。
【０１１９】
上記各実施形態では、歪レベルとしてＡＣＬＲ値又はモデル化誤差量の一方を用い、これらの値に基づいて入力信号電力を調整する場合を例示したが、例えば、ＡＣＬＲ計算部２５と、モデル化誤差計算部２７の両方を備えることで、ＡＣＬＲ値及びモデル化誤差量の両方に基づいて、入力信号電力（電源電圧）を調整するように構成することもできる。この場合、制御部２６ｂは、ＡＣＬＲ値及びモデル化誤差量の内、いずれか一方が、上限値より大きければ（図４中、ステップＳ１０２、図１０中、ステップＳ３０２）、入力信号を下げる（電源電圧を上げる）ように調整し（図４中、ステップＳ１０４、Ｓ１０５、図１０中、ステップＳ３０４）、両方が上限値以下であれば（図４中、ステップＳ１０２）、入力信号の電力を維持又は上げる（電源電圧を維持又は下げる）ように調整する（図４中、ステップＳ１０９，Ｓ１１０，Ｓ１１４、図１０中、ステップＳ３０９、Ｓ３１２）。また、下限値についても、いずれか一方が下限値より小さければ（ステップＳ１０６、図１０中、ステップＳ３０６）、入力信号を上げる（電源電圧を下げる）ように調整し（図４中、ステップＳ１０９，Ｓ１１０、図１０中、ステップＳ３０９）、両方が下限値以上であれば維持するように調整する（図４中、ステップＳ１１４、図１０中、ステップＳ３１２）。上記構成により、増幅器の歪レベルをより多面的に検出できる。
【０１２０】
本発明に関して、今回開示された実施の形態はすべての点で例示であって制限的なものではないと考えられるべきである。本発明の範囲は、上記した意味ではなく、特許請求の範囲と均等の意味及び範囲内でのすべての変更が含まれることが意図される。
【符号の説明】
【０１２１】
１      増幅装置
４      増幅器
２０    歪補償回路
２３    歪補償部
２５    ＡＣＬＲ計算部（歪レベル検出部）
２６    調整部（信号電力調整部）
２７    モデル化誤差計算部（歪レベル検出部）
３０    電源部
３１    電源電圧調整部
４０    電源変調部
ＢＳ    基地局装置
【図１】
2011082953.tif 000007
【図２】
2011082953.tif 000008
【図３】
2011082953.tif 000009
【図４】
2011082953.tif 000010
【図５】
2011082953.tif 000011
【図６】
2011082953.tif 000012
【図７】
2011082953.tif 000013
【図８】
2011082953.tif 000014
【図９】
2011082953.tif 000015
【図１０】
2011082953.tif 000016
【図１１】
2011082953.tif 000017